(57)【要約】  【課題】  従来、携帯型端末装置においては、複数の画像を順次切り替えることによって動画を実現することが行われている。しかし、切り替えに用いる複数の画像を携帯型端末装置内に蓄積しておくことが必要となるという課題がある。  【解決手段】  本発明は、選択が検知されたアイコンに対応する選択前アイコン画像から、選択後アイコン画像へ段階的に遷移する様子を見せるための複数の新アイコン画像からなる遷移時表示アイコン画像群を生成し、これに基づいてアイコン画像を連続表示する携帯型端末装置である。このとき、表示終了後遷移時表示アイコン画像群情報が消去されるとし、生成後の新アイコン画像情報等は携帯型端末装置に保持しないため、携帯端末装置の少ないメモリを消費することはない。【選択図】            図２
2005292918.tif 000002
【特許請求の範囲】
【請求項１】
画面上にアイコンを表示する携帯型端末装置であって、
前記画面上に表示すべきアイコンが選択される前の画像情報を保持する選択前アイコン画像情報保持部と、
前記画面上に表示すべきアイコンが選択された後の画像情報を保持する選択後アイコン画像情報保持部と、
前記画面上のアイコンが選択されたことを検知するためのアイコン選択検知部と、
前記アイコン選択検知部で選択が検知されたアイコンに対応する選択前アイコン画像情報から、前記アイコン選択検知部で選択が検知されたアイコンに対応する選択後アイコン画像情報へ段階的に遷移する様子を見せるための複数の新アイコン画像情報からなる遷移時表示アイコン画像群を生成する遷移時表示アイコン画像群情報生成部と、
前記遷移時表示アイコン画像群情報生成部で生成された遷移時表示アイコン画像群情報に含まれる新アイコン画像情報に基づくアイコン画像を連続表示する遷移時表示アイコン画像連続表示部と、
を有する携帯型端末装置。
【請求項２】
前記遷移時表示アイコン画像群情報生成部での前記生成は、
前記遷移時表示アイコン画像連続表示部での一表示ごとに順次生成され、表示終了後消去される請求項１に記載の携帯型端末装置。
【請求項３】
アイコンを表示するための情報であるアイコン画像情報を取得するアイコン画像情報取得部を有する請求項１又は２いずれか一に記載の携帯型端末装置。
【請求項４】
前記アイコン画像情報取得部は、取得したアイコン画像情報を、選択後アイコン画像情報保持部に格納する第一格納手段を有する請求項３に記載の携帯型端末装置。
【請求項５】
前記アイコン画像情報取得部は、取得したアイコン画像情報を、選択前アイコン画像情報保持部に格納する第二格納手段を有する請求項３に記載の携帯型端末装置。
【請求項６】
前記遷移時表示アイコン画像群情報生成部は、前記遷移時表示アイコン画像群により段階的に遷移する様子として、ディゾルブ、フェード、スライド、スレッド、ターン、スピンのいずれかを実現するための手段であるディゾルブ等実現手段を有する請求項１から５のいずれか一に記載の携帯型端末装置。
【請求項７】
前記アイコン画像情報取得部が取得したアイコン画像情報を加工して加工済取得アイコン画像情報を生成する加工済取得アイコン画像情報生成部を有し、
前記アイコン画像情報取得部は、前記加工済取得アイコン画像情報生成部で生成された加工済取得アイコン画像情報を、前記選択前アイコン画像情報保持部に格納する第三格納手段を有する請求項３に記載の携帯型端末装置。
【請求項８】
前記加工済取得アイコン画像情報生成部は、前記加工として、取得したアイコン画像情報を半透明化する処理をする半透明化処理手段を有する請求項７に記載の携帯型端末装置。
【請求項９】
前記加工済取得アイコン画像情報生成部は、前記加工として、取得したカラーのアイコン画像情報をモノクロ化する処理をするモノクロ化処理手段を有する請求項７に記載の携帯型端末装置。
【請求項１０】
前記画面上に表示すべきアイコンが選択される前の画像情報を保持する選択前アイコン画像情報保持部と、前記画面上に表示すべきアイコンが選択された後の画像情報を保持する選択後アイコン画像情報保持部と、を有し、画面上にアイコンを表示する携帯型端末装置の動作方法であって、
前記画面上のアイコンが選択されたことを検知するためのアイコン選択検知ステップと、
前記アイコン選択検知ステップにて選択が検知されたアイコンに対応する選択前アイコン画像情報から、前記アイコン選択検知ステップにて選択が検知されたアイコンに対応する選択後アイコン画像情報へ段階的に遷移する様子を見せるための複数の新アイコン画像情報からなる遷移時表示アイコン画像群を生成する遷移時表示アイコン画像群情報生成ステップと、
前記遷移時表示アイコン画像群情報生成ステップにて生成された遷移時表示アイコン画像群情報に含まれる新アイコン画像情報に基づくアイコン画像を連続表示する遷移時表示アイコン画像連続表示ステップと、
を有する携帯型端末装置の動作方法。
【発明の詳細な説明】
【技術分野】
【０００１】
本発明は、携帯型端末装置に関するものである。
【背景技術】
【０００２】
従来、携帯型端末装置においては、アイコンが動くことでそのアイコンが選択されたことを示す場合には、複数の画像を順次切り替えることによって動画を実現することが行われている。  また、アイコン画像と付加情報を外部のサーバなどからネットワークを介してダウンロードし、そのアイコン画像を付加情報に基づいて表示、変更等させるアイコン設定システムはすでに存在する（特許文献１参照。）。
【０００３】
【特許文献１】特開２００３−００５９４６号公報
【発明の開示】
【発明が解決しようとする課題】
【０００４】
しかしながら、上記複数の画像を順次切り替える手法によれば、切り替えに用いる複数の画像を携帯型端末装置内に蓄積しておくことが必要であり、有限の資源のうちの相当部分をこの画像の蓄積に費やすことになるという課題がある。  また、すでに蓄積されている画像を用いてアイコンが動画として実現されるのみであり、利用者にとって既製の画像は飽きが生じやすいといえるが、利用者が独自に撮影・創作等した画像を用いてオリジナルのアイコンの動画を作成し利用することは困難である。  一方、付加情報に基づいてアイコン画像を表示、変更等する手法によれば、アイコンの変更等を行いたい場合にネットワークを介してサーバから必要なデータをダウンロードすることが必要であり、煩雑である。
【課題を解決するための手段】
【０００５】
本発明は、かかる実情に鑑み、選択が検知されたアイコンに対応する選択前アイコン画像情報から、選択後アイコン画像情報へ段階的に遷移する様子を見せるための複数の新アイコン画像情報からなる遷移時表示アイコン画像群を生成し、この新アイコン画像情報に基づいてアイコン画像を連続表示する携帯型端末装置である。このとき、アイコン画像の一表示ごとに遷移時表示アイコン画像群情報が順次生成され、表示終了後消去されるとし、生成後の新アイコン画像情報等は携帯型端末装置に保持しないため、携帯端末装置の少ないメモリを消費することはない。  一方、携帯型端末装置で撮影等して取得することで、アイコンを表示するためのアイコン画像情報を取得することも可能である。単一のアイコン画像情報に基づいて動画の表示を実現できることから、利用者は撮影等して取得した画像を用いて、自由にアイコンを作成し、動画として表示させることができる。取得したアイコン画像情報は、選択後アイコン画像情報、選択前アイコン画像情報のいずれにも利用することができる。また、選択によってアイコンの画像が段階的に遷移する様子としては、ディゾルブ、フェード、スライド、スレッド、ターン、スピンなどの機能を用いて表示することができる。  他方、取得したアイコン画像情報を加工した加工済取得アイコン画像情報を選択前アイコン画像情報として利用する場合もある。加工としては、取得したカラーのアイコン画像情報を半透明化、あるいは、モノクロ化する処理をすることができる。利用者は単一の画像を準備するだけで選択前後のアイコンの画像が生成され、様々な遷移方法にてアイコンを動画として表示することが可能となる。
【発明の効果】
【０００６】
以上、説明したように本件発明のいずれか一又は二以上の発明に係る携帯型端末装置は、選択されたアイコンが回転する等の視覚的効果を伴い表示されるため、携帯端末装置の小さな表示画面であっても、どのアイコンが選択されたのか判別しやすい。また、生成された新アイコン画像情報等は携帯型端末装置に保持しないことから、携帯端末装置の少ないメモリを消費することなく動画の表示を実現でき、効率的である。  また、携帯型端末装置で撮影等して取得した画像を用いて、利用者が自由にアイコンを作成し、動画として表示することも可能となることで、利用者を飽きさせることなく携帯型端末装置の利用度を高める効果を有する。取得したアイコン画像情報が、選択後アイコン画像情報として利用される場合には、特に利用者によるアイコンの選択処理が促進される効果が期待できる。
【０００７】
さらに、取得したアイコン画像情報を加工した加工済取得アイコン画像情報を選択前アイコン画像情報として利用することで、利用者は単一の画像を準備するだけで選択前後のアイコンの画像が生成され、様々な遷移方法にてアイコンを動画として表示することが可能となるため、利便性が高い。加えて、半透明化、あるいは、モノクロ化した画像を選択前アイコン画像とし、このアイコンが選択されることで、もとのアイコン画像の状態になる場合には、選択されているアイコンをより際立たせ、判別しやすくする効果がある。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。  実施形態１は、主に請求項１、１０などについて説明する。  実施形態２は、主に請求項２などについて説明する。  実施形態３は、主に請求項３などについて説明する。  実施形態４は、主に請求項４などについて説明する。  実施形態５は、主に請求項５などについて説明する。  実施形態６は、主に請求項６などについて説明する。実施形態７は、主に請求項７などについて説明する。  実施形態８は、主に請求項８などについて説明する。  実施形態９は、主に請求項９などについて説明する。
【０００９】
<<実施形態１>>
【００１０】
<実施形態１：概要>  実施形態１について説明する。本実施形態は、選択が検知されたアイコンに対応する選択前アイコン画像情報から、選択後アイコン画像情報へ段階的に遷移する様子を見せるための複数の新アイコン画像情報からなる遷移時表示アイコン画像群を生成し、この新アイコン画像情報に基づいてアイコン画像を連続表示する携帯型端末装置である。
【００１１】
図１は、本実施形態の概念の一例を示すものである。図で示した携帯型端末装置の画面上には、４つのアイコンが表示されている。今、利用者が携帯型端末装置のボタンを操作し、右上に位置するカメラのアイコンを選択したとする。携帯型端末装置は、アイコンが選択されたことを検知する（１）。  携帯型端末装置は、選択が検知されたカメラのアイコンに対応する選択前アイコン画像情報から、選択後アイコン画像情報へ段階的に遷移する様子を見せるための複数の新アイコン画像情報からなる遷移時表示アイコン画像群を生成する（２）。ここでは、選択前アイコン画像情報で示されるカメラのアイコンのイメージと、選択後アイコン画像情報で示される１８０度回転したカメラのアイコンのイメージとに基づいて、変化中の段階的に遷移する様子を見せるために、例えば、もとの位置から４５度、９０度、１３５度回転したカメラのアイコンのイメージを表示できる新アイコン画像情報を生成する。  さらに、生成された選択時表示アイコン画像群情報に含まれる新アイコン画像情報に基づくアイコン画像を連続表示する（３）。選択されたアイコンが１８０度回転する視覚的効果が得られる。  なお、もとのアイコン画像情報から生成される新アイコン画像情報や、複数の新アイコン画像情報からなる遷移時表示アイコン画像群情報は、携帯型端末装置内部に保存しないため、メモリを消費することはない、
【００１２】
<実施形態１：構成>  本実施形態での機能ブロックの一例を図２に示した。
【００１３】
図２に示す本実施形態の「携帯端末装置」（０２００）は、「選択前アイコン画像情報保持部」（０２０１）と、「選択後アイコン画像情報保持部」（０２０２）と、「アイコン選択検知部」（０２０３）と、「遷移時表示アイコン画像群情報生成部」（０２０４）と、「選択時表示アイコン画像連続表示部」（０２０５）とからなる。
【００１４】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。  具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００１５】
「携帯端末装置」（０２００）は、画面上にアイコンを表示することが可能な携帯型の情報端末のことで、携帯電話やＰＤＡなどが該当する。
【００１６】
「選択前アイコン画像情報保持部」（０２０１）は、前記画面上に表示すべきアイコンが選択される前の画像情報を保持する。アイコンは、処理の対象や内容を記号などで表したものであり、先の例ではカメラなどのイメージが該当する。また、アイコンの画像情報は、アイコンのイメージを画面上に表示するために必要な情報などが該当する。アイコンは選択されることで、その表示態様を変えることが想定されており、選択される前のアイコンの画像情報が保持される。
【００１７】
「選択後アイコン画像情報保持部」（０２０２）は、前記画面上に表示すべきアイコンが選択された後の画像情報を保持する。アイコンは選択されることで、その表示態様を変えることが想定されており、選択された後のアイコンの画像情報が保持される。なお、選択前アイコン画像情報と、選択後アイコン画像情報とが同一であることを妨げるものではない。  ここで、選択前アイコン画像情報保持部、選択後アイコン画像情報保持部に保持されるのは、先の例では４つのアイコンについてのアイコン画像情報のみであり、派生して得られる新アイコン画像情報等は保持しない。
【００１８】
「アイコン選択検知部」（０２０３）は、前記画面上のアイコンが選択されたことを検知する。利用者が携帯型端末装置のボタンを操作し、いずれかのアイコンを選択した場合に、どのアイコンが選択されたのかを検知することができる。
【００１９】
「遷移時表示アイコン画像群情報生成部」（０２０４）は、遷移時表示アイコン画像群情報を生成する。「選択時表示アイコン画像群情報」は、アイコン選択検知部（０２０３）で選択が検知されたアイコンに対応する選択前アイコン画像情報から、同じくアイコン選択検知部（０２０３）で選択が検知されたアイコンに対応する選択後アイコン画像情報へ段階的に遷移する様子を見せるための複数の新アイコン画像情報からなる情報であり、遷移時表示アイコン画像連続表示部（０２０５）にて動画として表示できる。
【００２０】
「遷移時表示アイコン画像連続表示部」（０２０５）は、前記遷移時表示アイコン画像群情報生成部（０２０４）で生成された遷移時表示アイコン画像群情報に含まれる新アイコン画像情報に基づくアイコン画像を連続表示する。これにより、例えば、選択されたアイコンが連続的に遷移し、回転している態様を動画として表示することができる（図１０（ｂ）参照）。なお、選択前アイコン画像情報と、選択後アイコン画像情報とが同一である場合には、アイコンが連続的に遷移し、結局もとに戻る表示態様となる。
【００２１】
<実施形態１：処理の流れ>  図３は、実施形態１での処理の流れの一例を示したものである。画面上に表示すべきアイコンが選択される前の画像情報を保持する選択前アイコン画像情報保持部と、前記画面上に表示すべきアイコンが選択された後の画像情報を保持する選択後アイコン画像情報保持部と、を有する携帯型端末装置の動作方法は、以下に示すステップよりなる。  まず、前記画面上のアイコンが選択されたことを検知するための処理を行う（アイコン選択検知ステップ  Ｓ０３０１）。このとき、検知されたかどうかの判断を行い、検知したとの判断結果の場合には以下のステップを処理し、検知していないとの判断結果の場合には処理を終了するとしてもよい。  次に、前記アイコン選択検知ステップ（Ｓ０３０１）で選択が検知されたアイコンに対応する選択前アイコン画像情報から、前記アイコン選択検知ステップ（Ｓ０３０１）で選択が検知されたアイコンに対応する選択後アイコン画像情報へ段階的に遷移する様子を見せるための複数の新アイコン画像情報からなる遷移時表示アイコン画像群情報を生成する（遷移時表示アイコン画像群情報生成ステップ  Ｓ０３０２）。  最後に、前記遷移時アイコン画像群情報生成ステップ（Ｓ０３０２）にて生成された遷移時表示アイコン画像群情報に含まれる新アイコン画像を連続出力する（遷移時表示アイコン画像連続表示ステップ  Ｓ０３０３）。  以上の処理は、計算機に実行させるためのプログラムで実行することができ、また、このプログラムを計算機によって読み取り可能な記録媒体に記録することができる。（本明細書の全体を通して同様である。）
【００２２】
<実施形態１：効果>  本実施形態は、選択が検知されたアイコンに対応して、選択前アイコン画像情報から、選択後アイコン画像情報へ段階的に遷移する様子を見せるための複数の新アイコン画像情報からなる遷移時表示アイコン画像群を生成し、この新アイコン画像情報に基づいてアイコン画像を連続表示する携帯型端末装置である。携帯端末装置の表示画面は小さく、どのアイコンが選択されたのかが見えづらい場合があるが、本携帯端末装置によれば、選択されたアイコンが回転する等の視覚的効果を伴い表示されるため、使いやすい。  また、加工後の新アイコン画像情報等は携帯型端末装置に保持しないことから、携帯端末装置の少ないメモリを消費することなく動画の表示を実現でき、効率的である。
【００２３】
<<実施形態２>>
【００２４】
<実施形態２：概要>  実施形態２について説明する。本実施形態は、アイコン画像の一表示ごとに遷移時表示アイコン画像群情報が順次生成され、表示終了後消去されることに特徴を有する携帯型端末装置である。
【００２５】
<実施形態２：構成>  本実施形態での機能ブロックの一例は図２と同様である。
【００２６】
図２に示す「携帯端末装置」（０２００）は、「選択前アイコン画像情報保持部」（０２０１）と、「選択後アイコン画像情報保持部」（０２０２）と、「アイコン選択検知部」（０２０３）と、「遷移時表示アイコン画像群情報生成部」（０２０４）と、「遷移時表示アイコン画像連続表示部」（０２０５）とからなる。
【００２７】
「遷移時表示アイコン画像群情報生成部」（０２０４）は、遷移時表示アイコン画像連続表示部（０２０５）での一表示ごとに遷移時表示アイコン画像群情報を順次生成し、表示終了後消去する。
【００２８】
図４は、表示終了後消去される遷移時表示アイコン画像群情報の一例を示した。遷移時表示アイコン画像群情報が表示終了後消去されるため、携帯端末装置の少ないメモリを消費することなく、遷移時表示アイコン画像連続表示部（０２０５）にて動画の表示を実現できる。  その他各部の処理は実施形態１と同様である。
【００２９】
<実施形態２：効果>  本実施形態は、アイコン画像の一表示ごとに遷移時表示アイコン画像群情報が順次生成され、表示終了後消去されることに特徴を有する携帯型端末装置である。表示終了後に遷移時表示アイコン画像群情報が消去され携帯型端末装置に保持しないことから、携帯端末装置の少ないメモリを消費することなく動画の表示を実現でき、効率的である。  また、単一のアイコン画像情報に基づいて動画の表示を実現できることから、利用者が撮影等した画像を用いてオリジナルのアイコンを作成し動画として表示することも可能となり、携帯型端末装置の付加的機能として利用価値があるといえる。
【００３０】
<<実施形態３>>
【００３１】
<実施形態３：概要>  実施形態３について説明する。本実施形態は、アイコンを表示するためのアイコン画像情報を取得するアイコン画像情報取得部を有することに特徴を有する携帯型端末装置である。
【００３２】
<実施形態３：構成>  本実施形態での機能ブロックの一例を図５に示す。
【００３３】
図５に示す本実施形態の「携帯端末装置」（０５００）は、「選択前アイコン画像情報保持部」（０５０１）と、「選択後アイコン画像情報保持部」（０５０２）と、「アイコン選択検知部」（０５０３）と、「遷移時表示アイコン画像群情報生成部」（０５０４）と、「遷移時表示アイコン画像連続表示部」（０５０５）と、さらに、「アイコン画像情報取得部」（０５０６）とからなる。
【００３４】
「アイコン画像情報取得部」（０５０６）は、アイコンを表示するための情報であるアイコン画像情報を取得する。アイコン画像は、携帯端末装置に備えられたカメラ機能などを用いての撮影や、携帯端末装置の機能を用いての作成、画像が添付されたメールの受信などによって入手することが想定できる。これらの画像からアイコンを表示するためのアイコン画像情報を取得する。  図では、カメラで撮影した猫をアイコン画像とする例を示した。ここでは、猫と金魚を撮影したとする。猫の画像から取得したアイコン画像情報を選択前アイコン画像情報とし、金魚の画像から取得したアイコン画像情報を選択後アイコン画像情報としてそれぞれ保持部（０５０１、０５０２）に保持する。アイコンの選択が行われていない通常時においては、携帯端末装置の画面上には、他のアイコンとともに猫のアイコンも表示されることになる。  猫のアイコンの選択がアイコン選択検知部（０５０３）にて検知された場合には、遷移時表示アイコン画像群情報生成部（０５０４）にて猫の画像の選択前アイコン画像情報から、金魚の画像の選択後アイコン画像情報へと段階的に遷移する様子を見せるための複数の新アイコン画像情報からなる遷移時表示アイコン画像群情報を生成する。例えば、複数の新アイコン画像情報のうち、前半は猫のアイコン画像の色を薄くし、後半は金魚のアイコンの画像の色を濃くする。これにより、遷移時表示アイコン画像連続表示部（０５０５）では、猫のアイコン画像が徐々にぼやけ、入れ替わるように金魚のアイコン画像が表れるような表示が行われ、フェードによる視覚的効果が得られる（図９（ｂ）参照）。  なお、ここではアイコン画像を２種類取得する例を示したが、選択前アイコン画像情報、あるいは、選択後アイコン画像情報とするとしてもよい。これについては実施形態４、５にて説明する。また、段階的に遷移する様子としてはフェード以外にも手法があるが、これについては実施形態６にて説明する。  その他各部の処理は実施形態１、２と同様である。
【００３５】
<実施形態３：効果>  本実施形態は、アイコンを表示するためのアイコン画像情報を取得することに特徴を有する携帯型端末装置である。携帯型端末装置で撮影等して取得した画像を用いて、利用者が自由にアイコンを作成することができ、利用者を飽きさせることなく携帯型端末装置の利用度を高める効果を有する。また、アイコンが選択されると、動的な視覚的効果を伴いながら表示されるので、小さな画面しか備わっていない携帯型端末装置であっても、そのアイコンが選択されたのかを容易に判別できる。
【００３６】
<<実施形態４>>
【００３７】
<実施形態４：概要>  実施形態４について説明する。本実施形態は、取得したアイコン画像情報を、選択後アイコン画像情報保持部に格納することに特徴を有する携帯型端末装置である。
【００３８】
<実施形態４：構成>  本実施形態での機能ブロックの一例を図６に示す。
【００３９】
図６に示す本実施形態の「携帯端末装置」（０６００）は、「選択前アイコン画像情報保持部」（０６０１）と、「選択後アイコン画像情報保持部」（０６０２）と、「アイコン選択検知部」（０６０３）と、「遷移時表示アイコン画像群情報生成部」（０６０４）と、「遷移時表示アイコン画像連続表示部」（０６０５）と、「アイコン画像情報取得部」（０６０６）とからなり、さらに、アイコン画像情報取得部（０６０６）は「第一格納手段」（０６０７）を有する。
【００４０】
「第一格納手段」（０６０７）は、取得したアイコン画像情報を、選択後アイコン画像情報保持部に格納する。ここでは、カメラで撮影した金魚をアイコン画像として取得する例を示した。この金魚の画像から取得したアイコン画像情報は選択後アイコン画像情報として選択後アイコン画像情報保持部（０６０２）に格納される。また、選択前アイコン画像情報保持部（０６０１）は、既存のアイコンを表示するためのアイコン画像情報などが保持されている。  他方、選択後アイコン画像情報として保持された金魚のアイコン画像に基づいて選択前アイコン画像情報を生成するとしてもよい。図では、もとの金魚の画像と縦軸で対称な画像を生成し選択前アイコン画像情報とした。なお、取得したアイコン画像に加工を加えて選択前アイコン画像情報を生成することについては、実施形態７にて詳述する。  対応するアイコンの選択が検知された場合には、遷移時表示アイコン画像群情報生成部（０６０４）にて、複数の新アイコン画像情報からなる遷移時表示アイコン画像群情報を生成する。ここでは、右向きの金魚の選択前アイコン画像情報から、左向きの金魚の選択後アイコン画像情報へと段階的に遷移する様子を見せるための複数の新アイコン画像情報の一例として、右側から左へと左向きの金魚の選択後アイコン画像がスライドする場合を示した。このとき、複数の新アイコン画像情報のうち、前半は左向きの金魚の頭部分が、右向きの金魚の頭部分にかぶさり、後半にいくにつれてかぶさる範囲が広がり、最後は右向きの金魚は消え、左向きの金魚の尻尾部分まで表示される。これにより、遷移時表示アイコン画像連続表示部（０６０５）では、右向きの金魚のアイコン画像が徐々に消え、入れ替わるように左向きの金魚のアイコン画像が徐々に表れるような表示が行われ、スライドによる視覚的効果が得られる（図９（ｃ）参照）。  その他各部の処理は実施形態３と同様である。
【００４１】
<実施形態４：効果>  本実施形態は、取得したアイコン画像情報を、選択後アイコン画像情報保持部に格納することに特徴を有する携帯型端末装置である。携帯型端末装置で撮影等して取得した画像を、アイコンが選択された後の選択後アイコン画像情報として利用できるため、利用者のアイコンの選択処理が促進される効果が期待できる。また、利用者自身が自由にアイコンを作成できるため、携帯型端末装置の利用度が高まる。
【００４２】
<<実施形態５>>
【００４３】
<実施形態５：概要>  実施形態５について説明する。本実施形態は、取得したアイコン画像情報を、選択前アイコン画像情報保持部に格納することに特徴を有する携帯型端末装置である。
【００４４】
<実施形態５：構成>  本実施形態での機能ブロックの一例を図７に示す。
【００４５】
図７に示す本実施形態の「携帯端末装置」（０７００）は、「選択前アイコン画像情報保持部」（０７０１）と、「選択後アイコン画像情報保持部」（０７０２）と、「アイコン選択検知部」（０７０３）と、「遷移時表示アイコン画像群情報生成部」（０７０４）と、「遷移時表示アイコン画像連続表示部」（０７０５）と、「アイコン画像情報取得部」（０７０６）とからなり、さらに、アイコン画像情報取得部（０７０６）は「第二格納手段」（０７０７）を有する。
【００４６】
「第二格納手段」（０７０７）は、取得したアイコン画像情報を、選択前アイコン画像情報保持部に格納する。ここでは、カメラで撮影した猫をアイコン画像として取得する例を示した。この猫の画像から取得したアイコン画像情報は選択前アイコン画像情報として選択前アイコン画像情報保持部（０７０１）に格納される。また、選択後アイコン画像情報保持部（０７０２）は、既存のアイコンを表示するためのアイコン画像情報などが保持されている。  他方、選択前アイコン画像情報として保持された猫のアイコン画像に基づいて選択後アイコン画像情報を生成するとしてもよい。図では、もとの猫の画像を拡大した画像を生成し選択後アイコン画像情報とした。なお、取得したアイコン画像に加工を加えて選択前アイコン画像情報を生成することについては、実施形態７にて詳述する。  対応するアイコンの選択が検知された場合には、遷移時表示アイコン画像群情報生成部（０７０４）にて、複数の新アイコン画像情報からなる遷移時表示アイコン画像群情報を生成する。ここでは、普通サイズのアイコンの選択前アイコン画像情報から、拡大したアイコンの選択後アイコン画像情報へと段階的に遷移する様子を見せるための複数の新アイコン画像情報の一例として、上側から下へと拡大したアイコンの選択後アイコン画像がスレッドする場合を示した。このとき、複数の新アイコン画像情報のうち、前半は上から拡大したアイコンの猫の画像がスライドし、もとのアイコンの猫の画像を押し出し、後半にいくにつれてその範囲が広がり、最後はもとのアイコンの猫は消え、拡大したアイコンの猫が表示される。これにより、遷移時表示アイコン画像連続表示部（０７０５）では、もとのアイコンの猫の画像が徐々に消え、入れ替わるように拡大したアイコンの猫の画像が徐々に表れるような表示が行われ、スレッドによる視覚的効果が得られる。  その他各部の処理は実施形態３と同様である。
【００４７】
<実施形態５：効果>  本実施形態は、取得したアイコン画像情報を、選択前アイコン画像情報保持部に格納することに特徴を有する携帯型端末装置である。携帯型端末装置で撮影等して取得した画像を、アイコンが選択される前の選択前アイコン画像情報として利用できることによって、利用者は通常携帯型端末装置の画面に表示されるアイコンを自身でオリジナルに生成できるため、利用者にとって好ましいといえ、さらに携帯型端末装置の利用度が高まることが期待できる。
【００４８】
<<実施形態６>>
【００４９】
<実施形態６：概要>  実施形態６について説明する。本実施形態は、前記遷移時表示アイコン画像群により段階的に遷移する様子として、ディゾルブ、フェード、スライド、スレッド、ターン、スピンのいずれかを実現することに特徴を有する携帯型端末装置である。
【００５０】
<実施形態６：構成>  本実施形態での機能ブロックの一例を図８に示す。ここでは実施形態３における機能ブロックを基本とした。
【００５１】
図８に示す本実施形態の「携帯端末装置」（０８００）は、「選択前アイコン画像情報保持部」（０８０１）と、「選択後アイコン画像情報保持部」（０８０２）と、「アイコン選択検知部」（０８０３）と、「遷移時表示アイコン画像群情報生成部」（０８０４）と、「遷移時表示アイコン画像連続表示部」（０８０５）と、「アイコン画像情報取得部」（０８０６）とからなり、さらに、遷移時表示アイコン画像群情報生成部（０８０４）は「ディゾルブ等実現手段」（０８０７）を有する。
【００５２】
「ディゾルブ等実現手段」（０８０７）は、前記遷移時表示アイコン画像群により段階的に遷移する様子として、ディゾルブ、ターン、フェード、スライド、スレッド、スピンのいずれかを実現するための処理を行う。これらの一例について、図９、１０に図示した。
【００５３】
「ディゾルブ」とは、アイコンの選択の検知により、選択前アイコン画像を、徐々に選択後アイコン画像へと切り替える画像の表示方法をいう。ディゾルブは、例えば、画像が粒状に拡散、集結する切り替え方法や、色や輝度の変換などによって様々な表示が可能である。図９（ａ）では、画像が粒状に拡散、集結するディゾルブの実現を示した。
【００５４】
「フェード」とは、アイコンの選択の検知により、選択前アイコン画像が消えていくにつれ、選択後アイコン画像が表示される画像の表示方法をいう。フェードは、画像をオーバーラップさせる方法や、色や輝度の変換などによって様々な表示が可能である。図９（ｂ）では、選択前アイコン画像が徐々にぼやけ、選択後アイコン画像が表示されるフェードの実現を示した。
【００５５】
「スライド」とは、アイコンの選択の検知により、選択前アイコン画像に対して、同サイズの選択後アイコン画像がすべりこむように表示される画像の表示方法をいう。スライドは、選択後アイコン画像がスライドする際に、選択前アイコン画像が押し出されるのか、あるいは、選択前アイコン画像の上に重なるのかの別や、選択後アイコン画像がスライドしてくる方向、速度などにより様々な表示が可能である。図９（ｃ）では、右側から選択後アイコン画像がスライドする際に、選択前アイコン画像の上に重なって表示されるスライドの実現を示した。
【００５６】
「スレッド」とは、アイコンの選択の検知により、選択前アイコン画像に対して、縮小されたサイズの選択後アイコン画像がすべりこむように表示され、しかる後にもとのサイズまで拡大する画像の表示方法をいう。スライドと同様スレッドも、選択後アイコン画像がスレッドする際に、選択前アイコン画像が押し出されるのか、あるいは、選択前アイコン画像の上に重なるのかの別や、選択後アイコン画像がスレッドしてくる方向、速度などにより様々な表示が可能である。図１０（ａ）では、左側から選択後アイコン画像がスレッドする際に、選択前アイコン画像の上に重なって表示されるスライドの実現を示した。
【００５７】
「ターン」とは、アイコンの選択の検知により、選択前アイコン画像に対して、軸を中心として回転し、選択後アイコン画像が表示される画像の表示方法をいう。ターンは、回転の方向、角度、速度、軸の違いにより様々な表示が可能である。図１０（ｂ）では、画像が左回りで１８０度回転するターンの実現を示した。
【００５８】
「スピン」とは、アイコンの選択の検知により、選択前アイコン画像の中心を画像が回転し、選択後アイコン画像が表示される画像の表示方法をいう。スピンは、回転の方向、角度、速度の違いにより様々な表示が可能である。図１０（ｃ）では、画像が左回りで１８０度回転するスピンの実現を示した。  なお、スライドなど方向性をもつ機能においては、携帯端末装置のボタン操作などでそのスライド等される方向を指示することができるとしてもよい。例えば、下向きの矢印のキーを押した場合には上から選択後アイコン画像が下りてくる場合などが想定される。  その他各部の処理は実施形態１から５と同様である。
【００５９】
<実施形態６：効果>  本実施形態は、遷移時表示アイコン画像群により段階的に遷移する様子として、ディゾルブ、フェード、スライド、スレッド、ターン、スピンのいずれかを実現することに特徴を有する携帯型端末装置である。様々な遷移方法でアイコンを動画として表示することで、携帯型端末装置の小さな画面であっても選択されたアイコンを判別しやすくする効果が期待できる。
【００６０】
<<実施形態７>>
【００６１】
<実施形態７：概要>  実施形態７について説明する。本実施形態は、取得したアイコン画像情報を加工した加工済取得アイコン画像情報を選択前アイコン画像情報保持部に格納することに特徴を有する携帯型端末装置である。
【００６２】
<実施形態７：構成>  本実施形態での機能ブロックの一例を図１１に示す。
【００６３】
図１１に示す本実施形態の「携帯端末装置」（１１００）は、「選択前アイコン画像情報保持部」（１１０１）と、「選択後アイコン画像情報保持部」（１１０２）と、「アイコン選択検知部」（１１０３）と、「遷移時表示アイコン画像群情報生成部」（１１０４）と、「遷移時表示アイコン画像連続表示部」（１１０５）と、「アイコン画像情報取得部」（１１０６）と、さらに、「加工済取得アイコン画像情報生成部」（１１０７）とからなる。また、アイコン画像情報取得部（１１０６）は「第三格納手段」（１１０８）を有する。
【００６４】
「加工済取得アイコン画像情報生成部」（１１０７）は、アイコン画像情報取得部（１１０６）が取得したアイコン画像情報を加工して加工済取得アイコン画像情報を生成する。加工は、もとのアイコン画像情報に手を加えて変化させることであり、一例としてはアイコン画像の切断、縮小・拡大、回転、エッジ強調、輝度調整、半透明化、モノクロ（白黒化、セピア化）等が該当する。半透明化と、モノクロ化については、実施形態８、９にて説明する。
【００６５】
「第三格納手段」（１１０８）は、前記加工済取得アイコン画像情報生成部（１１０７）で生成された加工済取得アイコン画像情報を、前記選択前アイコン画像情報保持部（１１０１）に格納する。加工してできたアイコン画像を選択前アイコン画像とする一方、加工前のもとのアイコン画像は選択後アイコン画像としてもよい。  その他各部の処理については、実施形態３と同様である。
【００６６】
<実施形態７：効果>  本実施形態は、取得したアイコン画像情報を加工した加工済取得アイコン画像情報を選択前アイコン画像情報保持部に格納することに特徴を有する携帯型端末装置である。利用者は単一の画像を準備するだけで選択前後のアイコンの画像を生成され、様々な遷移方法にてアイコンを動画として表示することが可能となるため、便利である。
【００６７】
<<実施形態８>>
【００６８】
<実施形態８：概要>  実施形態８について説明する。本実施形態は、加工として、取得したアイコン画像情報を半透明化する処理をすることに特徴を有する携帯型端末装置である。
【００６９】
<実施形態８：構成>  本実施形態での機能ブロックの一例を図１２に示す。
【００７０】
図１２に示す本実施形態の「携帯端末装置」（１２００）は、「選択前アイコン画像情報保持部」（１２０１）と、「選択後アイコン画像情報保持部」（１２０２）と、「アイコン選択検知部」（１２０３）と、「遷移時表示アイコン画像群情報生成部」（１２０４）と、「遷移時表示アイコン画像連続表示部」（１２０５）と、「アイコン画像情報取得部」（１２０６）と、「加工済取得アイコン画像情報生成部」（１２０７）とからなる。また、アイコン画像情報取得部（１２０６）は「第三格納手段」（１２０８）を有し、さらに、加工済取得アイコン画像情報生成部（１２０７）は「半透明化処理手段」（１２０９）を有する。
【００７１】
「半透明化処理手段」（１２０９）は、加工として、取得したアイコン画像情報を半透明化する処理をする。半透明化とは、透明と不透明の中間の状態とすることをいう。アイコン画像情報のうち、色や、輝度などの情報を変更することにより半透明化を実現する。
【００７２】
選択前には半透明であったアイコン画像は選択されることで、もとのアイコン画像の状態になる場合などが想定される。  その他各部の処理については、実施形態７と同様である。
【００７３】
<実施形態８：効果>  本実施形態は、加工として、取得したアイコン画像情報を半透明化する処理をすることに特徴を有する携帯型端末装置である。半透明化した画像を選択前アイコン画像とし、このアイコンが選択されることで、もとのアイコン画像の状態になる場合には、選択されているアイコンをより際立たせる効果がある。
【００７４】
<<実施形態９>>
【００７５】
<実施形態９：概要>  実施形態９について説明する。本実施形態は、加工として、取得したカラーのアイコン画像情報をモノクロ化する処理をすることに特徴を有する携帯型端末装置である。
【００７６】
<実施形態９：構成>  本実施形態での機能ブロックの一例を図１３に示す。
【００７７】
図１３に示す本実施形態の「携帯端末装置」（１３００）は、「選択前アイコン画像情報保持部」（１３０１）と、「選択後アイコン画像情報保持部」（１３０２）と、「アイコン選択検知部」（１３０３）と、「遷移時表示アイコン画像群情報生成部」（１３０４）と、「遷移時表示アイコン画像連続表示部」（１３０５）と、「アイコン画像情報取得部」（１３０６）と、「加工済取得アイコン画像情報生成部」（１３０７）とからなる。また、アイコン画像情報取得部（１３０６）は「第三格納手段」（１３０８）を有し、さらに、加工済取得アイコン画像情報生成部（１３０７）は「モノクロ化処理手段」（１３０９）を有する。
【００７８】
「モノクロ化処理手段」（１３０９）は、加工として、取得したカラーのアイコン画像情報をモノクロ化する処理をする。モノクロ化とは、カラーの画像を単色化することをいい、白黒、セピアなどが含まれる場合がある。アイコン画像情報のうち、色や、輝度などの情報を変更することによりモノクロ化を実現する。  選択前にはモノクロであったアイコン画像は選択されることで、もとのアイコン画像の状態になる場合などが想定される。
【００７９】
その他各部の処理については、実施形態７と同様である。
【００８０】
<実施形態９：効果>  本実施形態は、加工として、取得したカラーのアイコン画像情報をモノクロ化する処理をすることに特徴を有する携帯型端末装置である。モノクロ化した画像を選択前アイコン画像とし、このアイコンが選択されることで、もとのアイコン画像の状態になる場合には、選択されているアイコンをより際立たせる効果がある。
【図面の簡単な説明】
【００８１】
【図１】実施形態１を説明するための概念図
【図２】実施形態１を説明するための機能ブロック図
【図３】実施形態１の処理の流れを説明する図
【図４】実施形態２を説明するための概念図
【図５】実施形態３を説明するための機能ブロック図
【図６】実施形態４を説明するための機能ブロック図
【図７】実施形態５を説明するための機能ブロック図
【図８】実施形態６を説明するための機能ブロック図
【図９】実施形態６の一例（ディゾルブ、フェード、スライド）を示す図
【図１０】実施形態６の一例（スレッド、ターン、スピン）を示す図
【図１１】実施形態７を説明するための機能ブロック図
【図１２】実施形態８を説明するための機能ブロック図
【図１３】実施形態９を説明するための機能ブロック図
【符号の説明】
【００８２】
０２００    携帯型端末装置
０２０１    選択前アイコン画像情報保持部
０２０２    選択後アイコン画像情報保持部
０２０３    アイコン選択検知部
０２０４    遷移時表示アイコン画像群情報生成部
０２０５    遷移時表示アイコン画像連続表示部
【図１】
2005292918.tif 000003
【図２】
2005292918.tif 000004
【図３】
2005292918.tif 000005
【図４】
2005292918.tif 000006
【図５】
2005292918.tif 000007
【図６】
2005292918.tif 000008
【図７】
2005292918.tif 000009
【図８】
2005292918.tif 000010
【図９】
2005292918.tif 000011
【図１０】
2005292918.tif 000012
【図１１】
2005292918.tif 000013
【図１２】
2005292918.tif 000014
【図１３】
2005292918.tif 000015